(57)【要約】【課題】ＣＡＴＶシステムの加入者装置１０を遠隔制御して、加入者宅へのテレビジョン放送波を遮断できるようにする。【解決手段】ＣＡＴＶ伝送路１２を通じて受信されるテレビジョン放送波２６を増幅する増幅器１６と、増幅器１６の出力を加入者宅内に引き込む引き込み線２４用の出力端子３８と、増幅器１６と電源２０の間に挿入された放送停止制御スイッチ２２を備える。テレビジョン放送波２６には、スイッチオフを要求するスイッチ制御信号２８が重畳される。復調回路１８は、スイッチ制御信号２８が入力したとき、電源２０から増幅器１６への電源供給を遮断する。【選択図】図１
2009200596.tif 000002
【特許請求の範囲】
【請求項１】
ＣＡＴＶ伝送路を通じて受信されるテレビジョン放送波を増幅する増幅器と、増幅器の出力を加入者宅内に引き込む引き込み線用出力端子とを備え、
前記テレビジョン放送波に重畳されたスイッチ制御信号を復調する復調回路と、
前記増幅器の電源回路に挿入され、前記復調回路にスイッチオフを要求するスイッチ制御信号が入力したとき、前記復調回路の出力により、前記増幅器への電源供給を遮断する放送停止制御スイッチとを備えたことを特徴とするＣＡＴＶシステムの加入者装置。
【請求項２】
請求項１に記載のＣＡＴＶシステムの加入者装置において、
前記ＣＡＴＶ伝送路を通じて受信される光信号を電気信号に変換する光／電気変換器と、
この光／電気変換器の出力信号を増幅して前記テレビジョン放送波を前記引き込み線側に伝送する前記増幅器と、
前記光／電気変換器の出力信号に含まれた前記スイッチ制御信号を選択して復調する前記復調回路とを備え、
この復調回路の出力が前記放送停止制御スイッチに供給されることを備えたことを特徴とするＣＡＴＶシステムの加入者装置。
【請求項３】
請求項２に記載のＣＡＴＶシステムの加入者装置において、
前記増幅器は、２段以上の構成のＴＶ信号増幅器からなり、前記放送停止制御スイッチは、前記２段以上のＴＶ信号増幅器の駆動電源を切断することを特徴とするＣＡＴＶシステムの加入者装置。
【請求項４】
ＣＡＴＶ伝送路を通じて受信されるテレビジョン放送波を増幅する増幅器と、増幅器の出力を加入者宅内に引き込む引き込み線用出力端子と、前記テレビジョン放送波に重畳されたスイッチ制御信号を復調する復調回路と、前記増幅器の電源回路に挿入され、前記復調回路にスイッチオフを要求するスイッチ制御信号が入力したとき、前記復調回路の出力により、前記電源回路から前記増幅器への電源供給を遮断する放送停止制御スイッチとを備えた加入者装置を、ＣＡＴＶ伝送路に任意の数だけ接続したＣＡＴＶシステムにおいて、
所定のタイミングで、前記テレビジョン放送波にスイッチオフを要求するスイッチ制御信号を重畳して、前記ＣＡＴＶ伝送路を通じて、指定された加入者装置に向けて送信することを特徴とする、ＣＡＴＶシステムの加入者装置の遠隔制御方法。
【請求項５】
請求項４に記載の加入者装置の遠隔制御方法において、
前記ＣＡＴＶ伝送路を通じて受信される光信号を電気信号に変換する光／電気変換器と、この光／電気変換器の出力信号を増幅して前記テレビジョン放送波を前記引き込み線側に伝送する前記増幅器と、前記光／電気変換器の出力信号に含まれた前記スイッチ制御信号を選択して復調する前記復調回路とを設けて、この復調回路の出力を前記放送停止制御スイッチに供給することを特徴とするＣＡＴＶシステムの加入者装置の遠隔制御方法。
【請求項６】
請求項２に記載のＣＡＴＶシステムの加入者装置において、
前記増幅器は、２段以上の構成のＴＶ信号増幅器からなり、前記放送停止制御スイッチは、前記２段以上のＴＶ信号増幅器の駆動電源を切断することを特徴とするＣＡＴＶシステムの加入者装置の遠隔制御方法。
【発明の詳細な説明】
【技術分野】
【０００１】
本発明は、ＣＡＴＶシステムの加入者装置による放送波の遮断動作を遠隔制御するＣＡＴＶシステムの加入者装置とその遠隔制御方法に関する。
【背景技術】
【０００２】
ＣＡＴＶシステムでは、システムの管理上、送信側の制御によりテレビジョン放送波の映像信号を加入者毎に個別に停止したいという要求がある。例えば、スクランブル処理のできる有料放送については、放送毎に視聴ができない状態にすることができる。しかしながら、その加入者宅へ送信している放送波全体を停止させるわけではない。
放送波全体の供給を停止させるには、加入者側装置中に集積回路によるスイッチを組み込む方法や、アッテネータを組み込む方法（特許文献１参照）を採用していた。
【特許文献１】特開平１１−２２０７０５号公報
【発明の開示】
【発明が解決しようとする課題】
【０００３】
既知の従来の技術には、次のような解決すべき課題があった。
上記のようなスイッチを使用した場合には、220MHz以下の周波数帯域では、60dB以上の減衰量を確保することができる。即ち、出力端子から出力されるテレビジョン放送波を十分に減衰させることができる。しかし、300MHz〜3GHz程度の周波数帯域では、40dB以下の減衰量しか得られず、信号断に必要な60dB以上の減衰量を確保することが難しかった。また、出力端子から出力されるテレビジョン放送波の減衰量が不十分だと無用な雑音を発生するおそれもある。
しかも、伝送回路にスイッチやアッテネータを挿入しておくと、通常の映像伝送時にも回路抵抗によって伝送信号が減衰する。従って、その損失を補償するために伝送信号増幅用増幅器のゲインを増加させておかなければならず、無駄な電力を消費するという問題があった。
上記の課題を解決するために、本発明は、加入者宅への放送波を効果的に経済的に遮断することを可能にするＣＡＴＶシステムの加入者装置とその遠隔制御方法を提供することを目的とする。
【課題を解決するための手段】
【０００４】
以下の構成はそれぞれ上記の課題を解決するための手段である。
〈構成１〉
ＣＡＴＶ伝送路を通じて受信されるテレビジョン放送波を増幅する増幅器と、増幅器の出力を加入者宅内に引き込む引き込み線用出力端子とを備え、上記テレビジョン放送波に重畳されたスイッチ制御信号を復調する復調回路と、上記増幅器の電源回路に挿入され、上記復調回路にスイッチオフを要求するスイッチ制御信号が入力したとき、上記復調回路の出力により、上記電源回路から上記増幅器への電源供給を遮断する放送停止制御スイッチとを備えたことを特徴とするＣＡＴＶシステムの加入者装置。
【０００５】
スイッチ制御信号をテレビジョン放送波に重畳して、テレビジョン放送波を増幅する増幅器の電源を遠隔制御により遮断するので、出力側にテレビジョン放送波が洩れ出すのを阻止できる。また、増幅器を停止させて無駄な電力消費を抑制できる。なお、電源回路は、電源と増幅器の間を接続する回路だけでなく、増幅器の内部回路や電源の内部回路も含む。この電源回路は、電源供給を遮断する放送停止制御スイッチをどこかに挿入できる構造であればよい。
【０００６】
〈構成２〉
構成１に記載のＣＡＴＶシステムの加入者装置において、上記ＣＡＴＶ伝送路を通じて受信される光信号を電気信号に変換する光／電気変換器と、この光／電気変換器の出力信号を増幅して上記テレビジョン放送波を上記引き込み線側に伝送する上記増幅器と、上記光／電気変換器の出力信号に含まれた上記スイッチ制御信号を選択して復調する上記復調回路とを備え、この復調回路の出力が上記放送停止制御スイッチに供給されることを備えたことを特徴とするＣＡＴＶシステムの加入者装置。
【０００７】
〈構成３〉
構成２に記載のＣＡＴＶシステムの加入者装置において、上記増幅器は、２段以上の構成のＴＶ信号増幅器からなり、上記放送停止制御スイッチは、上記２段以上のＴＶ信号増幅器の駆動電源を切断することを特徴とするＣＡＴＶシステムの加入者装置。
【０００８】
〈構成４〉
ＣＡＴＶ伝送路を通じて受信されるテレビジョン放送波を増幅する増幅器と、増幅器の出力を加入者宅内に引き込む引き込み線用出力端子と、上記テレビジョン放送波に重畳されたスイッチ制御信号を復調する復調回路と、上記増幅器の電源回路に挿入され、上記復調回路にスイッチオフを要求するスイッチ制御信号が入力したとき、上記復調回路の出力により、上記電源回路から上記増幅器への電源供給を遮断する放送停止制御スイッチとを備えた加入者装置を、ＣＡＴＶ伝送路に任意の数だけ接続したＣＡＴＶシステムにおいて、所定のタイミングで、上記テレビジョン放送波にスイッチオフを要求するスイッチ制御信号を重畳して、上記ＣＡＴＶ伝送路を通じて、指定された加入者装置に向けて送信することを特徴とする、ＣＡＴＶシステムの加入者装置の遠隔制御方法。
【０００９】
〈構成５〉
構成４に記載の加入者装置の遠隔制御方法において、上記ＣＡＴＶ伝送路を通じて受信される光信号を電気信号に変換する光／電気変換器と、この光／電気変換器の出力信号を増幅して上記テレビジョン放送波を上記引き込み線側に伝送する上記増幅器と、上記光／電気変換器の出力信号に含まれた上記スイッチ制御信号を選択して復調する上記復調回路とを設けて、この復調回路の出力を上記放送停止制御スイッチに供給することを特徴とするＣＡＴＶシステムの加入者装置の遠隔制御方法。
【００１０】
〈構成６〉
構成２に記載のＣＡＴＶシステムの加入者装置において、上記増幅器は、２段以上の構成のＴＶ信号増幅器からなり、上記放送停止制御スイッチは、上記２段以上のＴＶ信号増幅器の駆動電源を切断することを特徴とするＣＡＴＶシステムの加入者装置の遠隔制御方法。
【発明を実施するための最良の形態】
【００１１】
以下、本発明の実施の形態を実施例毎に詳細に説明する。
【実施例１】
【００１２】
図１は実施例１のＣＡＴＶシステムの加入者装置とその遠隔制御方法を説明するブロック図である。
この図に示すＣＡＴＶシステムにおいて、テレビジョン放送波２６は、ヘッドエンドからＣＡＴＶ伝送路１２と加入者装置１０を経て加入者宅に伝送される。ヘッドエンドには、テレビジョン放送波２６にスイッチ制御信号２８を重畳する混合器３０と、混合器３０の出力信号を光信号に変換してＣＡＴＶ伝送路１２に送出する光送信機３２とが設けられている。ＣＡＴＶ伝送路１２は光ファイバケーブルで、ヘッドエンドから加入者宅まで布設されている。
【００１３】
テレビジョン放送波２６は、図示しない放送受信アンテナ等により受信された既知のＣＡＴＶシステム用の放送再送信信号である。スイッチ制御信号２８は、テレビジョン放送波２６の隙間に挿入される。この信号は、例えば、加入者装置を特定するアドレス信号と、スイッチオフを要求する簡単な符号でよい。空きチャンネルに一定時間、数回繰り返して重畳するとよい。ＣＡＴＶ伝送路１２には、多数の光分岐器３４が接続されており、多数の加入者装置１０が接続されている。そのうちの特定の加入者装置１０を指定して制御する。
【００１４】
ＣＡＴＶ伝送路１２には、各所に光分岐器３４が配置されており、光分岐器３４から加入者装置１０に光信号が入力する。加入者装置１０は、加入者宅の外壁等に固定される光終端装置である。ここで光信号が電気信号に変換されて、加入者宅に引き込まれる。この加入者装置１０には、光／電気変換器１４と、増幅器１６と、出力端子３８とが設けられている。ＣＡＴＶ伝送路１２を通じて受信されたテレビジョン放送波２６は、光／電気変換器１４により電気信号に変換され、増幅器１６により増幅されて、出力端子３８から出力される。出力端子３８には、引き込み線２４が接続されている。引き込み線２４の先に加入者宅のテレビジョン受像器３６が接続される。
【００１５】
ここで、光／電気変換器１４の出力端子には、復調回路１８が接続されている。復調回路１８は、テレビジョン放送波２６に重畳されたスイッチ制御信号２８を分離して復調する。電源２０は、光／電気変換器１４や増幅器１６等の各部の回路を駆動するためのものである。放送停止制御スイッチ２２は、増幅器１６と電源２０の間に挿入されている。復調回路１８は、スイッチ制御信号２８が入力したとき、放送停止制御スイッチ２２を動作させる信号を出力する。その例はあとで図２等を用いて説明する。スイッチ制御信号２８は、スイッチオフまたはオンを要求する信号である。放送停止制御スイッチ２２が動作すると、電源２０から増幅器１６への電源供給を遮断したり復旧させたりすることができる。なお、復調回路１８の出力は、制御出力端子５０からも取り出されるように構成されている。この制御出力端子５０は、放送停止制御スイッチ２２以外の回路や装置の制御に利用できるようにされている。
【実施例２】
【００１６】
図２は、加入者装置１０のより具体的な実施例ブロック図である。
図の回路は、図１に示した加入者装置１０の内部回路の一例である。受光素子４０は、ＣＡＴＶ伝送路１２（図１）に接続されている。この受光素子４０は光信号を電気信号に変換する回路である。図１に示した光／電気変換器１４の一例である。電圧増幅器４１は、受光素子４０の出力を後続回路の処理に必要な電圧信号に変換する付属回路である。２段構成のＴＶ信号増幅器４２は、電圧増幅器４１の出力信号を増幅して出力端子３８に向けて出力する回路である。ＴＶ信号増幅器４２は、図１に示した増幅器１６に該当する。これらにより、出力端子３８を通じてテレビジョン放送波２６（図１）が加入者宅に供給される。制御信号増幅器４４は、電圧増幅器４１の出力する信号のうちスイッチ制御信号２８（図１）を選択して増幅する帯域増幅器である。制御信号増幅器４４とマイクロコントローラ４６とは図１の復調回路１８に該当する。
【００１７】
電源２０は、電圧増幅器４１とＴＶ信号増幅器４２と制御信号増幅器４４とマイクロコントローラ４６と電源スイッチ素子４８に駆動電力を供給する。ＴＶ信号増幅器４２には電源スイッチ素子４８を介して、駆動電力が供給されている。電源スイッチ素子４８は、図１に示した放送停止制御スイッチ２２に該当する。ＣＡＴＶ伝送路１２から受光素子４０に入力された信号は、受光素子４０により電流信号に変換され、電圧増幅器４１により電圧信号に変換される。
【００１８】
図３は、スイッチ制御信号２８の一例を示す説明図である。
図の信号Ｓ１は電圧増幅器４１の出力信号に重畳されたスイッチ制御信号２８（図１）である。制御信号増幅器４４はこの信号Ｓ１を所定のレベルまで増幅する。図２のマイクロコントローラ４６は、識別信号Ｓ２を解析して、スイッチを制御するためのパルス信号Ｓ３を出力する回路である。図２に示す電源スイッチ素子４８は、電源２０とＴＶ信号増幅器４２との間に挿入されたスイッチである。電源スイッチ素子４８に、マイクロコントローラ４６から出力された信号Ｓ３が入力すると、電源スイッチ素子４８が動作して、電源２０からＴＶ信号増幅器４２への電源供給をオンオフする。この電源スイッチ素子４８が、図１の実施例の放送停止制御スイッチ２２に該当する。
【００１９】
即ち、通常はテレビジョン放送波２６が受光素子４０と電圧増幅器４１とＴＶ信号増幅器４２と出力端子３８を経て加入者宅に供給されている。加入者宅にテレビジョン放送波２６を供給しないという決定がされると、ヘッドエンドで、テレビジョン放送波２６にスイッチ制御信号２８を重畳する。このスイッチ制御信号２８には、加入者装置１０を指定する識別信号Ｓ２が含まれている。マイクロコントローラ４６は、固有の識別情報を保持しており、識別信号Ｓ２と比較照合して、自己の加入者装置１０を指定するものかどうかを判断する。自己の加入者装置１０を指定するものと判断したとき、電源スイッチ素子４８にパルス信号Ｓ３を出力する。これにより、ＴＶ信号増幅器４２への電源供給をオンオフする。例えばスイッチ制御信号２８のレベルが”０”のときは電源供給がオン、”１”のときはオフというように制御される。
【００２０】
上記のスイッチ制御信号２８は、既に説明したように、放送信号の隙間を利用して送信されるから、繰り返しあるいは常時送信されて、確実に安定に電源スイッチ素子４８を制御することが好ましい。また、オンオフを制御する信号以外の信号もスイッチ制御信号２８に含めることが可能である。例えば、スイッチをオンするときに、周辺機器、例えば、光終端装置やモデム等の初期化を合わせてするほうがよいことがある。このような構成のネットワークでは、図１に示した制御出力端子５０から、初期化処理のための制御信号を出力するように構成するとよい。
【００２１】
以上の構成により、受信したテレビジョン放送波の映像信号の加入者宅内への出力を完全に遮断することができる。加入者装置１０を特定するアドレス等によって、特定の加入者の加入者装置１０を選択して遠隔制御をすることができる。増幅器１６への電源供給を停止すると、増幅器１６に電源を供給した状態で、高周波スイッチを切った場合と比較して大きな減衰量を確保できた。例えば、2GHzの帯域についても、約60dBの減衰量を確保することができた。また、伝送回路に高周波スイッチを挿入する必要が無くなったので、挿入損失を補償するために増幅器１６のゲインを増加させなくてよい。しかも、映像信号を加入者宅内に出力しないときは、増幅器１６に電源を供給しないので、消費電力が低減するという効果がある。さらに、増幅器１６の動作を停止するので、雑音を発生させるおそれがないという効果がある。
【００２２】
図４は、本発明の実施例の性能を示す説明図である。
図２の実施例では、２段構成のＴＶ信号増幅器４２の駆動電源を切断するようにして、テレビジョン放送波の伝送を遮断している。実験によれば、図の表に示すように、例えば、１段構成のＴＶ信号増幅器４２の電源を遮断したとき、220MHz〜3GHzの周波数帯域でテレビジョン放送波を約60dBの減衰量で減衰させることができた。もちろんこれ以下の周波数帯域でも同様である。本発明は同軸ケーブルを使用した既存のＣＡＴＶシステムでも十分に効果がある。しかし、既存の同軸ケーブルシステムでは、ＵＨＦ帯の信号はＶＨＦ帯にコンバートしてテレビジョン受像器まで送り込む。従って、遮断の対象は主としてＶＨＦ帯の信号である。一方、光ファイバケーブルを使用するシステムでは、光端末装置においてＵＨＦ帯の信号を再生して宅内用の同軸ケーブルに送り込む。従って、遮断の対象がＵＨＦ帯も含むから、既存のスイッチでは遮断がきわめて難しい。ここに、本発明が有効に機能する。
【００２３】
なお、地上ディジタル放送の場合には、受信機が高感度のものが多いこと、劣化したデータの修復が可能であること等から、アナログ放送に比べて放送信号を完全に遮断することが難しい。図の表に示すように、１段構成のＴＶ信号増幅器４２の電源を遮断しても、ディジタル放送の完全な遮断ができないことがあった。しかし、図２の実施例のように、２段以上の構成のＴＶ信号増幅器４２の電源を同時に切断すると、図の表に示すように、アナログ放送もディジタル放送も、いずれの周波数帯域でも約60dB以上の減衰量で信号を減衰させることができた。また、電源の遮断により十分に電力消費を抑えることができた。
【図面の簡単な説明】
【００２４】
【図１】実施例１のＣＡＴＶシステムの加入者装置とその遠隔制御方法を説明するブロック図である。
【図２】加入者装置１０のより具体的な実施例ブロック図である。
【図３】スイッチ制御信号２８の一例を示す説明図である。
【図４】本発明の実施例の性能を示す説明図である。
【符号の説明】
【００２５】
１０  加入者装置
１２  ＣＡＴＶ伝送路
１４  光／電気変換器
１６  増幅器
１８  復調回路
２０  電源
２２  放送停止制御スイッチ
２４  引き込み線
２６  テレビジョン放送波
２８  スイッチ制御信号
３０  混合器
３２  光送信機
３４  光分岐器
３６  テレビジョン受像器
３８  出力端子
４０  受光素子
４１  電圧増幅器
４２  ＴＶ信号増幅器
４４  制御信号増幅器
４６  マイクロコントローラ
４８  電源スイッチ素子
５０  制御出力端子
【図１】
2009200596.tif 000003
【図２】
2009200596.tif 000004
【図３】
2009200596.tif 000005
【図４】
2009200596.tif 000006